(57)【特許請求の範囲】
【請求項１】
金属板製の壁パネルの側端部において、パネル表面よりパネル側端面、パネル端部背面、パネル側端面に略平行となる保持片を一連に折り曲げて接続縦凹所を形成し、接続ブロックに一対の接続突起を設け、接続する壁パネルの接続縦凹所に接続突起を挿入して壁パネルを接続する構造であって、
床パンの外周の起立片に係止して床パンの載設面部の上に載設されて保持される下の上記接続ブロックにパネル側端面間に進入して壁パネル間に所定の目地間隔を形成する突起を形成し、更に、接続ブロックにおいて、接続された壁パネル間の目地間隔の直下部に相当する上記接続ブロック部分に奥の面が閉塞され、前方及び上下が開放されている凹溝を形成し、凹溝にシーリング剤を充填していることを特徴とする壁パネルの接続構造。
【発明の詳細な説明】
【０００１】
【発明の属する技術分野】
本発明は、壁パネルの接続構造に関し、詳しくは、接続した壁パネル間に所定の目地隙間を安定的に形成しようとする技術に係るものである。
【０００２】
【従来の技術】
従来、図７に示すように、壁パネルを接続する構造においては、金属板製の壁パネルの側端部において、パネル表面１よりパネル側端面２、パネル端部背面３、パネル側端面２に略平行となる保持片４を一連に折り曲げて接続縦凹所５を形成し、接続ブロック９’の接続板７に一対の接続突起８、８を設け、接続する壁パネルＡ、Ａの接続縦凹所５、５に接続突起８、８を挿入して壁パネルＡ、Ａを接続するものである。
【０００３】
【発明が解決しようとする課題】
ところで、金属製の壁パネルＡにおいては、パネル表面１よりパネル側端面２、パネル端部背面３、パネル側端面２に略平行となる保持片４を一連に折り曲げるものであることから、金属板を折り曲げる場合のスプリングバック作用によって折り曲げ角度が不安定となり、接続縦凹所５の寸法精度を高め難いものである。したがって、接続縦凹所５、５に接続突起８、８を挿入して壁パネルＡ、Ａを接続する際に、壁パネルＡ、Ａ間の目地隙間Ｗを一定に確保し難いという問題があった。
【０００４】
本発明はこのような問題に鑑みてなされたものであり、金属板製の壁パネルを接続した際に、壁パネル間の目地隙間を所定の幅にすることができる壁パネルの接続構造を提供することを課題とするものである。
【０００５】
【課題を解決するための手段】
請求項１においては、金属板製の壁パネルの側端部において、パネル表面１よりパネル側端面２、パネル端部背面３、パネル側端面２に略平行となる保持片４を一連に折り曲げて接続縦凹所５を形成し、接続ブロック９に一対の接続突起８、８を設け、接続する壁パネルＡ、Ａの接続縦凹所５、５に接続突起８、８を挿入して壁パネルを接続する構造であって、
床パン１３の外周の起立片３１に係止して床パン１３の載設面部３２の上に載設されて保持される下の上記接続ブロック９にパネル側端面２、２間に進入して壁パネルＡ、Ａ間に所定の目地間隔Ｗを形成する突起３０を形成し、更に、接続ブロック９において、接続された壁パネルＡ、Ａ間の目地間隔Ｗの直下部に相当する上記接続ブロック９部分に奥の面３４が閉塞され、前方及び上下が開放されている凹溝１２を形成し、凹溝１２にシーリング剤３３を充填していることを特徴とするものである。このような構成によれば、接続縦凹所５、５に接続突起８、８を挿入して壁パネルＡ、Ａを接続しながら、接続ブロック９に形成した突起３０をパネル側端面２、２間に進入させることで壁パネルＡ、Ａ間に所定の目地隙間Ｗを安定的に形成することができる。
【０００６】
更に、請求項１においては、接続された壁パネルＡ、Ａ間の目地間隔Ｗの直下部に相当する上記接続ブロック９部分に奥の面３４が閉塞され、前方及び上下が開放されている凹溝１２を形成し、凹溝１２にシーリング剤３３を充填していることを特徴とするものである。このような構成によれば、接続ブロック９の凹溝１２は、奥の面３４が閉じられ、下の面は床パン１３の載置面部３２にて閉じられ、上の面は目地間隔Ｗに連なっているのであり、凹溝１２にシーリング剤３３を充填することで目地隙間Ｗの下部開口を閉じることができ、床パン１３側からの水返しを充分におこなうことができ、目地隙間Ｗ側への水の廻り込みを確実に防止することができる。
【０００７】
【発明の実施の形態】
以下、本発明の実施の形態を説明する。図１（ａ）は下の接続ブロックの斜視図、同図（ｂ）は壁パネルの接続状態を正面からの説明図である。図２は接続ブロックと床パンとの関係を示す説明図である。図３（ａ）は接続状態を示す平面図、同図（ｂ）は壁パネルの概略平断面図である。図４（ａ）は説明図、同図（ｂ）は分解斜視図である。
【０００８】
壁パネルＡ…が床パン１３の四辺に起立され、一つの壁パネルＡはドアを備えたドアパネルとなり、壁パネルＡ…の上端間に天井パネルが架設されて、例えば、浴室１４及び洗面室がユニット化されて構成される。
【０００９】
壁パネルＡは、金属板を折り曲げて裏面に断熱材１５を付設して構成している。壁パネルＡの両側端部において、パネル表面１よりパネル側端面２、パネル端部背面３、パネル側端面２に略平行となる保持片４を一連に折り曲げて接続縦凹所５を形成している。壁パネルＡの上端部にパネル上端面１０の後端より立ち上げ片６を立ち上げている。パネル端部背面３には上下に長い長孔１６を形成してある。断面コ字状のジョイナー１７には上下間隔を隔ててフック１８…を左右方向に間隔を隔てて二列に形成している。
【００１０】
しかして、二列のフック１８、１８を左右に隣接する壁パネルＡ、Ａの長孔１６、１６に係入することで壁パネルＡ、Ａを接続することができるようにしている。この場合、ジョイナー１７はハンマーにて叩いてフック１８を長孔１６に強く係入する。
【００１１】
図１（ａ）は下の接続ブロック９を示し、硬質合成樹脂製で、後部に誘い込み用の係止片３５を形成して係止溝３６を形成している。接続ブロック９の前部に左右に間隔を隔てて一対の接続突起８、８を設けている。接続突起８の外形形状は壁パネルＡの接続縦凹所５の内形形状に略一致するようにしている。接続突起８の先端は先細に尖っている。接続ブロック９にパネル側端面２、２間に進入して壁パネルＡ、Ａ間に所定の目地間隔Ｗを形成する突起３０を形成している。
【００１２】
しかして、床パン１３の外周部の起立片３１に接続ブロック９の係止溝３６を係止して接続ブロック９を床パン１３の載設面部３２に載設し、接続ブロック９の接続突起８、８を壁パネルＡの接続縦凹所５、５に挿入して壁パネルＡ、Ａを接続しながら、接続ブロック９に形成した突起３０をパネル側端面２、２間に進入させることで壁パネルＡ、Ａ間に所定の目地隙間Ｗを安定的に形成することができるのである（図１（ｂ）、図３（ａ）参照）。
【００１３】
更に、接続ブロック９において、接続された壁パネルＡ、Ａ間の目地間隔Ｗの直下部に相当する接続ブロック９部分に奥の面３４が閉塞され、前方及び上下が開放されている凹溝１２を形成している。
【００１４】
しかして、接続ブロック９の凹溝１２は、奥の面３４が閉じられ、下の面は床パン１３の載置面部３２にて閉じられ、上の面は目地間隔Ｗに連なっているのであり、凹溝１２にシーリング剤３３を充填することで目地隙間Ｗの下部開口を閉じることができ、床パン１３側からの水返しを充分におこなうことができ、目地隙間Ｗ側への水の廻り込みを確実に防止することができるのである。
【００１５】
図５及び図６は上の接続ブロック９を示し、平板状の接続板７の下面に一対の接続突起８、８を形成している。接続突起８の外形形状は壁パネルＡの接続縦凹所５の内形形状に略一致するようにしている。接続突起８の先端は先細に尖っている。接続板７の後端より起立当板１１を起立させている。
【００１６】
しかして、図５に示すように、ジョイナー１７にて接続した壁パネルＡ、Ａの接続縦凹所５、５に、ハンマーＨにて殴打して接続ブロック９の一対の接続突起８、８を圧入し、接続板７をパネル上端面１０に当接させるのであり、この場合、接続ブロック９の起立当板１１が隣接の壁パネルＡ、Ａの立ち上げ片６、６に当接するのである。しかして、一方の壁パネルＡのパネル表面１に押圧力が掛かった場合に、立ち上げ片６に当接している起立当板１１を共に変位させようとするが、起立当板１１は隣接の壁パネルＡの立ち上げ片６に当接していて起立当板１１の変位を阻止し、結果として、押圧された壁パネルＡの変位を隣接の壁パネルＡによって防止することができ、起立当板１１を立ち上げ片６、６に当接するとの簡単な改良により壁パネルＡ、Ａの接続強度を高めることができるのである。
【００１７】
接続ブロック９の起立当板１１は肉厚となっていて起立当板１１の端部裏面に凸段部１９を形成し、凸段部１９の壁パネルＡの立ち上げ片６の側端面６ａが当接して、隣接の壁パネルＡ、Ａの間隔を規制するようにしている。
【００１８】
又、上の接続ブロック９の接続板７の裏面にはパネル側端面２、２間に進入して壁パネルＡ、Ａ間に所定の目地間隔Ｗを形成する突起３０を形成していて、壁パネルＡ、Ａの上端部においても隣接する壁パネルＡ、Ａのパネル側端面２、２間に突起３０が進入して壁パネルＡ、Ａ間の目地幅Ｗを所定の幅に決めるようにしている。
【００１９】
【発明の効果】
請求項１においては、金属板製の壁パネルの側端部において、パネル表面よりパネル側端面、パネル端部背面、パネル側端面に略平行となる保持片を一連に折り曲げて接続縦凹所を形成し、接続ブロックに一対の接続突起を設け、接続する壁パネルの接続縦凹所に接続突起を挿入して壁パネルを接続する構造であって、
床パンの外周の起立片に係止して床パンの載設面部の上に載設されて保持される下の上記接続ブロックにパネル側端面間に進入して壁パネル間に所定の目地間隔を形成する突起を形成し、更に、接続ブロックにおいて、接続された壁パネル間の目地間隔の直下部に相当する上記接続ブロック部分に奥の面が閉塞され、前方及び上下が開放されている凹溝を形成し、凹溝にシーリング剤を充填しているから、接続縦凹所に接続突起を挿入して壁パネルを接続しながら、接続ブロックに形成した突起をパネル側端面間に進入させることで壁パネル間に所定の目地隙間を安定的に形成することができるという利点がある。
【００２０】
更に、請求項１においては、接続された壁パネル間の目地間隔の直下部に相当する上記接続ブロック部分に奥の面が閉塞され、前方及び上下が開放されている凹溝を形成し、凹溝にシーリング剤を充填しているから、接続ブロックの凹溝は、奥の面が閉じられ、下の面は床パンの載置面部にて閉じられ、上の面は目地間隔に連なっているのであり、凹溝にシーリング剤を充填することで目地隙間の下部開口を閉じることができ、床パン側からの水返しを充分におこなうことができ、目地隙間側への水の廻り込みを確実に防止することができるという利点がある。
【図面の簡単な説明】
【図１】本発明の実施の一形態を示し、（ａ）は接続ブロックの斜視図、（ｂ）は壁パネルの接続状態を示す説明図である。
【図２】同上の接続ブロックと床パンとの関係を示す説明図である。
【図３】（ａ）は接続状態を示す概略平断面図、（ｂ）は壁パネルの概略平断面図である。
【図４】（ａ）は説明図、（ｂ）は分解斜視図である。
【図５】上の接続ブロックによる接続作用を示す斜視図である。
【図６】（ａ）は接続状態の平断面図、（ｂ）は正断面図である。
【図７】従来例の説明図である。
【符号の説明】
１    パネル表面
２    パネル側端面
３    パネル端部背面
４    保持片
５    接続縦凹所
８    接続突起
９    接続ブロック
３０  突起
【図１】
0003601481.tif 000002
【図２】
0003601481.tif 000003
【図３】
0003601481.tif 000004
【図４】
0003601481.tif 000005
【図５】
0003601481.tif 000006
【図６】
0003601481.tif 000007
【図７】
0003601481.tif 000008